(57)【要約】【課題】アナログテレビ等におけるアナログテレビ放送の受信を妨げることなく、地デジ放送の番組の映像信号等を、アナログテレビ放送信号に変換して送信する地デジ放送受信装置を提供する。【解決手段】  地デジ放送受信装置は、自車両の現在地に基づき、アナログテレビ放送における空きチャンネルを特定する（Ｓ２００５）。そして、地デジ放送を視聴するためのアナログテレビ放送信号が対応するチャンネル（以後、設定チャンネルと記載）が、空きチャンネルであるかどうかを判定し、設定チャンネルが空きチャンネルでない場合には、特定した空きチャンネルのうち、最小のチャンネルを新たな設定チャンネルとする（Ｓ２０１５）。以後、地デジ放送受信装置は、地デジ放送を視聴するためのアナログテレビ放送信号として、新たな設定チャンネルに対応するアナログテレビ放送信号を送信する。【選択図】図４
2010239537.tif 000002
【特許請求の範囲】
【請求項１】
車両に搭載されており、デジタルテレビ放送信号を受信する変換装置であって、
受信したデジタルテレビ放送信号から、ユーザにより選択されたチャンネルに対応するデジタルテレビ放送信号を復調し、映像信号と音声信号とを抽出する抽出手段と、
外部から自車両の現在地情報を取得する取得手段と、
前記取得手段が取得した前記現在地情報に基づき、自車両の現在地における、アナログテレビ放送の空きチャンネルを特定する空きチャンネル特定手段と、
前記抽出手段により抽出された映像信号と音声信号とを、前記空きチャンネル特定手段により特定された前記空きチャンネルに対応する周波数のアナログテレビ放送信号に変換し、変換した信号を、アナログテレビ放送を視聴するための受信装置に対して送信する変換手段と、
を備えることを特徴とする変換装置。
【請求項２】
請求項１に記載の変換装置において、
ユーザからデジタルテレビ放送における放送局の選択を受け付ける受付手段と、
前記取得手段により取得された前記現在地情報に基づき、前記受付手段が受け付けた選択に係るデジタルテレビ放送の放送局に対応するチャンネルを特定する対応チャンネル特定手段と、
を備え、
前記抽出手段は、前記対応チャンネル特定手段により特定されたチャンネルに対応するデジタルテレビ放送信号を復調することにより、ユーザにより選択された放送局に対応するデジタルテレビ放送信号を復調すること、
を特徴とする変換装置。
【請求項３】
車両に搭載されており、外部からの映像信号の入力を受け付ける変換装置であって、
外部から自車両の現在地情報を取得する取得手段と、
前記取得手段が取得した前記現在地情報に基づき、自車両の現在地における、アナログテレビ放送の空きチャンネルを特定する空きチャンネル特定手段と、
外部から入力された映像信号と音声信号とを、前記空きチャンネル特定手段により特定された前記空きチャンネルに対応する周波数のアナログテレビ放送信号に変換し、変換した信号を、アナログテレビ放送を視聴するための受信装置に対して送信する変換手段と、
を備えることを特徴とする変換装置。
【請求項４】
請求項１から請求項３のいずれかに記載の変換装置において、
前記変換装置は、前記空きチャンネル特定手段が新たな前記空きチャンネルを特定した場合に、該空きチャンネルをユーザに報知する報知手段をさらに備えること、
を特徴とする変換装置。
【請求項５】
請求項４に記載の変換装置において、
前記報知手段は、前記空きチャンネル特定手段により特定された新たな前記空きチャンネルを外部装置に送信し、該外部装置を介して、該空きチャンネルをユーザに報知すること、
を特徴とする変換装置。
【請求項６】
請求項５に記載の変換装置において、
前記報知手段は、前記変換手段により変換される映像信号に、前記空きチャンネル特定手段により特定された新たな前記空きチャンネルを表示するための画像データを重畳し、該画像データが重畳された映像信号が前記変換手段によりアナログテレビ放送信号に変換され、前記受信装置に送信されることにより、前記外部装置を介して、該空きチャンネル
をユーザに報知すること、
を特徴とする変換装置。
【発明の詳細な説明】
【技術分野】
【０００１】
本発明は、デジタルテレビ放送を受信して映像信号等を生成し、生成した映像信号等をアナログテレビ放送の放送信号に変換する変換装置に関する。
【背景技術】
【０００２】
２０１１年７月２４日でアナログテレビ放送が終了するため、この日以降は、アナログテレビ放送のみに対応しているアナログテレビにより、テレビ番組を視聴することができなくなってしまう。
【０００３】
ここで、地上デジタルテレビ放送（以後、地デジ放送とも記載）用のチューナをアナログテレビに外付けし、このチューナから出力される映像信号等を、映像端子等を介してアナログテレビに入力し、アナログテレビを用いて地デジ放送の番組を視聴することが提案されている。
【０００４】
また、車載用のアナログテレビには、映像入力端子等（以下、映像端子）が設けられておらず、地デジ放送用のチューナを外付けすることができない機種が多いが、特許文献１には、このようなアナログテレビを用いた地デジ放送の番組の視聴を可能とする変換装置について記載されている。この変換装置は、地上デジ放送を受信して映像信号及び音声信号を生成し、生成した信号をアナログテレビ放送信号に変換して送信する。そして、変換装置から送信されたアナログテレビ放送信号を受信することにより、映像端子が設けられていない車載用のアナログテレビにて、地デジ放送の番組の視聴が可能となる。
【先行技術文献】
【特許文献】
【０００５】
【特許文献１】登録実用新案第３１３６１５４号公報
【発明の概要】
【発明が解決しようとする課題】
【０００６】
ここで、特許文献１に記載の変換装置は、地デジ放送の番組の映像信号等を、アナログテレビ放送におけるチャンネルのうち、放送が行われていない空きチャンネルに対応する周波数の信号に変調することが望ましい。その理由は、このような周波数の信号に変調することにより、アナログテレビ放送が終了するまでは、アナログテレビにて、アナログテレビ放送の全ての番組を視聴することが可能となるためである。しかしながら、アナログテレビ放送では、放送区域毎に固有にチャンネルが設定されており、放送区域毎に異なるチャンネルが空きチャンネルとなっている場合がある。このため、仮に、地デジ放送の映像信号等が空きチャンネルに対応するアナログテレビ放送信号に変換されていても、変換装置を搭載した車両が走行中の放送区域が変化することにより空きチャンネルが変動し、アナログテレビでのアナログテレビ放送の視聴を妨げてしまうおそれがある。
【０００７】
本願発明は上記課題に鑑みてなされたものであり、アナログテレビ等の受信装置におけるアナログテレビ放送の受信を妨げることなく、デジタルテレビ放送の番組の映像信号を、アナログテレビ放送における放送信号に変換して送信することができる変換装置を提供することを目的とする。
【課題を解決するための手段】
【０００８】
かかる目的を達成するためになされた請求項１に記載の発明は、
車両に搭載されており、デジタルテレビ放送信号を受信する変換装置であって、
受信したデジタルテレビ放送信号から、ユーザにより選択されたチャンネルに対応するデジタルテレビ放送信号を復調し、映像信号と音声信号とを抽出する抽出手段と、
外部から自車両の現在地情報を取得する取得手段と、
前記取得手段が取得した前記現在地情報に基づき、自車両の現在地における、アナログテレビ放送の空きチャンネルを特定する空きチャンネル特定手段と、
前記抽出手段により抽出された映像信号と音声信号とを、前記空きチャンネル特定手段により特定された前記空きチャンネルに対応する周波数のアナログテレビ放送信号に変換し、変換した信号を、アナログテレビ放送を視聴するための受信装置に対して送信する変換手段と、
を備えることを特徴とする。
【０００９】
また、請求項２に記載の発明は、請求項１に記載の変換装置において、
ユーザからデジタルテレビ放送における放送局の選択を受け付ける受付手段と、
前記取得手段により取得された前記現在地情報に基づき、前記受付手段が受け付けた選択に係るデジタルテレビ放送の放送局に対応するチャンネルを特定する対応チャンネル特定手段とを備え、
前記抽出手段は、前記対応チャンネル特定手段により特定されたチャンネルに対応するデジタルテレビ放送信号を復調することにより、ユーザにより選択された放送局に対応するデジタルテレビ放送信号を復調することを特徴とする。
【００１０】
また、請求項３に記載の発明は、車両に搭載されており、外部からの映像信号の入力を受け付ける変換装置であって、
外部から自車両の現在地情報を取得する取得手段と、
前記取得手段が取得した前記現在地情報に基づき、自車両の現在地における、アナログテレビ放送の空きチャンネルを特定する空きチャンネル特定手段と、
外部から入力された映像信号と音声信号とを、前記チャンネル特定手段により特定された前記空きチャンネルに対応する周波数のアナログテレビ放送信号に変換し、変換した信号を、アナログテレビ放送を視聴するための受信装置に対して送信する変換手段と、
を備えることを特徴とする。
【００１１】
また、請求項４に記載の発明は、請求項１から請求項３のいずれかに記載の変換装置において、
前記変換装置は、前記空きチャンネル特定手段が新たな前記空きチャンネルを特定した場合に、該空きチャンネルをユーザに報知する報知手段をさらに備えることを特徴とする。
【００１２】
また、請求項５に記載の発明は、請求項４に記載の変換装置において、
前記報知手段は、前記空きチャンネル特定手段により特定された新たな前記空きチャンネルを外部装置に送信し、該外部装置を介して、該空きチャンネルをユーザに報知することを特徴とする。
【００１３】
また、請求項６に記載の発明は、請求項５に記載の変換装置において、
前記報知手段は、前記変換手段により変換される映像信号に、前記空きチャンネル特定手段により特定された新たな前記空きチャンネルを表示するための画像データを重畳し、該画像データが重畳された映像信号が前記変換手段によりアナログテレビ放送信号に変換され、前記受信装置に送信されることにより、前記外部装置を介して、該空きチャンネルをユーザに報知することを特徴とする。
【発明の効果】
【００１４】
請求項１に記載の変換装置によれば、空きチャンネル特定手段により、取得手段が取得
した現在地情報に基づき、自車両の現在地におけるアナログテレビ放送の空きチャンネルが特定される。そして、抽出手段によりデジタルテレビ放送信号から抽出された映像信号等は、変換手段により空きチャンネルに対応する周波数のアナログテレビ放送信号に変換され、アナログテレビ放送を視聴するための受信装置に対して送信される。尚、受信装置とは、例えば、アナログテレビであっても良い。
【００１５】
こうすることにより、アナログテレビ放送を視聴するための受信装置にて、デジタルテレビ放送を視聴することが可能となる。
また、変換装置では、自車両の現在地におけるアナログテレビ放送の空きチャンネルを特定することができ、自車両がどの放送区域に存在しようとも、空きチャンネルに対応するアナログテレビ放送信号を生成して送信することができる。また、自車両が新たな放送区域に進入し、空きチャンネルが変わった場合であっても、デジタルテレビ放送信号から抽出された映像信号等を、新たな空きチャンネルに対応するアナログテレビ放送信号に変換して送信することができる。したがって、請求項１に記載の変換装置は、アナログテレビ等の受信装置におけるアナログテレビ放送の受信を妨げることなく、デジタルテレビ放送の番組の映像信号等を、アナログテレビ放送信号に変換して受信装置に送信することができる。
【００１６】
また、デジタルテレビ放送に関しても、例えば、地デジ放送のように、放送区域毎に、リモコン等の選局ボタンと物理チャンネルとの対応関係が固有に設定されている場合がある。
【００１７】
そこで、請求項２では、対応チャンネル特定手段は、取得手段により取得された現在地情報に基づき、ユーザから選択されたデジタルテレビ放送の放送局に対応するチャンネルを特定する。そして、対応チャンネル特定手段にて特定されたチャンネルに対応するデジタルテレビ放送信号が抽出手段により復調されることにより、ユーザにより選択された放送局に対応するデジタルテレビ放送信号が復調される。
【００１８】
こうすることにより、自車両の現在地に応じて、ユーザに選択された放送局に対応するデジタルテレビ放送のチャンネルが特定される。したがって、自車両がどの放送区域に存在している場合であっても、ユーザにより選択された放送局に対応するチャンネルのデジタルテレビ放送信号を視聴するためのアナログテレビ放送信号を生成することができる。また、自車両が新たな放送区域に進入し、選局ボタンとチャンネルとの対応関係が変わった場合であっても、ユーザにより選択された放送局に対応するチャンネルのデジタルテレビ放送信号を視聴するためのアナログテレビ放送信号を生成することができる。
【００１９】
また、請求項３に記載の変換装置によれば、空きチャンネル特定手段により、取得手段が取得した現在地情報に基づき、自車両の現在地におけるアナログテレビ放送の空きチャンネルが特定される。そして、外部から入力された映像信号は、変換手段により空きチャンネルに対応する周波数のアナログテレビ放送信号に変換され、アナログテレビ放送を視聴するための受信装置に対して送信される。
【００２０】
こうすることにより、外部に設置されたデジタルテレビ用チューナにて生成された映像信号等をアナログテレビ放送信号に変換し、受信装置に送信することができる。したがって、アナログテレビ放送を視聴するための受信装置にて、デジタルテレビ放送を視聴することが可能となる。
【００２１】
また、変換装置では、自車両の現在地におけるアナログテレビ放送の空きチャンネルを特定することができ、自車両がどの放送区域に存在しようとも、空きチャンネルに対応す
るアナログテレビ放送信号を生成して送信することができる。また、自車両が新たな放送区域に進入し、空きチャンネルが変わった場合であっても、デジタルテレビ放送信号から抽出された映像信号等を、新たな空きチャンネルに対応するアナログテレビ放送信号に変換して送信することができる。したがって、請求項３に記載の変換装置は、アナログテレビ等の受信装置におけるアナログテレビ放送の受信を妨げることなく、デジタルテレビ放送の番組の映像信号等を、アナログテレビ放送信号に変換して受信装置に送信することができる。
【００２２】
また、請求項４に記載の変換装置によれば、チャンネル特定手段が新たな空きチャンネルを特定した場合に、報知手段により新たな空きチャンネルがユーザに報知される。
こうすることにより、例えば、自車両が新たな放送区域に進入することによりアナログテレビ放送の空きチャンネルが変更し、変換装置から送信されるアナログテレビ放送信号が対応するチャンネルが変更された際に、ユーザは、変更後のチャンネルを知ることができる。このため、変換装置から送信されるアナログテレビ放送信号が対応するチャンネルの変更に応じて、受信装置にて受信中のアナログテレビ放送のチャンネルを変えることが可能となり、変換装置の利便性を高めることができる。
【００２３】
尚、変換装置が備える報知手段は、請求項５に記載されているように、空きチャンネル特定手段により特定された新たな空きチャンネルを外部装置に送信し、該外部装置を介して、該空きチャンネルをユーザに報知しても良い。
【００２４】
また、報知手段は、請求項６に記載されているように、変換手段により変換される映像信号に新たな空きチャンネルを表示するための画像データを重畳し、該画像データが重畳された映像信号がアナログテレビ放送信号に変換され、受信装置に送信されることにより、外部装置を介して、空きチャンネルをユーザに報知しても良い。
【図面の簡単な説明】
【００２５】
【図１】地デジ放送受信装置を有する車載システムの構成を示すブロック図である。
【図２】地デジ放送受信装置の構成を示すブロック図である。
【図３】視聴開始処理についてのフローチャートである。
【図４】第一の現在地情報取得処理についてのフローチャートである。
【図５】変調装置や地デジチューナ装置を有する車載システムの構成を示すブロック図である。
【図６】地デジチューナ装置の構成と変調装置の構成とを示すブロック図である。
【図７】変調開始処理についてのフローチャートである。
【図８】第二の現在地情報取得処理についてのフローチャートである。
【発明を実施するための形態】
【００２６】
以下、本発明の実施形態について図面を用いて説明する。尚、本発明の実施の形態は、下記の実施形態に何ら限定されることはなく、本発明の技術的範囲に属する限り種々の形態を採りうる。
【００２７】
［第一実施形態］
［構成の説明］
まず、第一実施形態について説明する。図１には、第一実施形態における車載システムの構成を示すブロック図が記載されている。この車載システムは、地デジ放送を受信する地デジ用アンテナ２００と、同軸ケーブル６００を介して地デジ用アンテナ２００から地デジ放送信号を受信し、地デジ放送を視聴するためのアナログテレビ放送信号を生成して送信する地デジ放送受信装置１００と、アナログテレビ放送の視聴やラジオ放送の聴取が
可能なオーディオ３００と、ＣＡＮ等の車内ＬＡＮ５００により地デジ放送受信装置１００に接続されており、車内ＬＡＮ５００を介して自車両の現在地情報を地デジ放送受信装置１００に通知するナビゲーション装置４００とを有している。尚、このオーディオ３００には、ＶＨＦ帯，ＵＨＦ帯の電波と、ＡＭ，ＦＭラジオ放送の電波の受信が可能なアナログ放送用アンテナ３１０が備え付けられており、アナログ放送用アンテナ３１０と地デジ用アンテナ２００とは、近接した状態で設置されている。
【００２８】
次に、地デジ放送受信装置１００の構成について、図２の（ａ）に記載されているブロック図を用いて説明する。地デジ放送受信装置１００は、地デジ用アンテナ２００と同軸ケーブル６００により接続される本体部１１０と、この本体部１１０と伝送線路１３０を介して接続されており、ユーザに対して種々の情報を報知する報知部１２０とから構成されている。尚、本体部１１０は、車両のシートの下等に配置され、報知部１２０は、ダッシュボード等に配置される。
【００２９】
また、本体部１１０は、ＣＰＵ、ＲＯＭ、ＲＡＭ、Ｉ／Ｏ等を有する周知のマイクロコントローラ等から構成され、本体部１１０を統括的に制御する本体部側制御部１１１と、報知部１２０と伝送線路１３０を介して通信を行う通信部１１２と、地デジ用アンテナ２００からの地デジ放送信号から映像信号と音声信号を抽出し、これらの信号をアナログテレビ放送信号に変換する変換処理部１１３と、車内ＬＡＮ５００を介して他の装置と通信を行う車内ＬＡＮ通信部１１４と、アナログテレビ放送における放送区域毎の空きチャンネルや、地デジ放送における放送区域毎のリモコンキーＩＤと物理チャンネルとの対応関係を示す放送区域情報を記憶している記憶部１１５とを有している。
【００３０】
また、報知部１２０は、本体部１１０と伝送線路１３０を介して通信を行う通信部１２１と、図示しないリモコンからの赤外線信号を受光するリモコン受光部１２２と、ＬＣＤやＬＥＤ等により、変換処理部１１３により変換されたアナログテレビ放送信号に対応するチャンネル（以後、設定チャンネルとも記載）を表示する表示部１２３と、スピーカ１２４と、ＣＰＵ、ＲＯＭ、ＲＡＭ、Ｉ／Ｏ等を有する周知のマイクロコントローラ等から構成され、報知部１２０を統括的に制御する報知部側制御部１２５とを有している。
【００３１】
次に、本体部１１０における変換処理部１１３の構成について、図２の（ｂ）に記載されているブロック図を用いて説明する。変換処理部１１３は、地デジ用アンテナ２００に接続されている同軸ケーブル６００が接続されるコネクタ１１３ａと、ＶＨＦ帯の上限周波数を低域側のカットオフ周波数とすると共に、ＵＨＦ帯の下限周波数を高域側のカットオフ周波数とするダイプレクサ１１３ｂと、ダイプレクサ１１３ｂを通過した高域側の受信信号（地デジ放送信号）を復調し、図示しないリモコン等を介してユーザに指定されたチャンネルに対応する映像信号と音声信号とを抽出する地デジチューナ部１１３ｃと、本体部側制御部１１１からの指示に応じて、地デジチューナ部１１３ｃにて抽出された映像信号に画像データを重畳するＯＳＤ制御部１１３ｄと、地デジチューナ部１１３ｃからの映像信号や音声信号により、アナログテレビ放送における１〜１２チャンネルのうちのいずれかに対応する搬送波を変調して、ＶＨＦ帯のアナログテレビ放送信号を生成する変調回路１１３ｅとを有している。
【００３２】
［動作の説明］
次に、第一実施形態の地デジ放送受信装置１００の動作について説明する。
（１）視聴開始処理について
まず、地デジ放送受信装置１００が、地デジ放送を視聴するためのアナログテレビ放送信号の生成を開始する処理である視聴開始処理について、図３に記載のフローチャートを用いて説明する。本処理は、図示しないリモコンを介してユーザから、地デジ放送の視聴
を開始する旨の操作を受け付けた際に実行される処理である。
【００３３】
Ｓ１００５では、地デジ放送受信装置１００の本体部側制御部１１１は、車内ＬＡＮ５００を介してナビゲーション装置４００から、自車両の現在地情報を取得する。そして、取得した自車両の現在地情報と、記憶部１１５に記憶されている放送区域情報とに基づき、現在地がアナログテレビ放送におけるどの放送区域に位置するかを特定し、この放送区域におけるアナログテレビ放送の空きチャンネルを特定する（Ｓ１０１０）。そして、特定した空きチャンネルのうちの例えば最小のチャンネルを、設定チャンネルとする（Ｓ１０１５）。
【００３４】
続いて、Ｓ１０２０では、本体部側制御部１１１は、図示しないリモコンを介して最後にユーザに選択された地デジ放送の放送局（換言すれば、最後にユーザに選択されたリモコンキーＩＤ）を特定する。そして、自車両の現在地情報と放送区域情報とに基づき、現在地が地デジ放送におけるどの放送区域に位置するかを特定し、この放送区域における、選択された放送局に対応する物理チャンネルを特定する（Ｓ１０２５）。
【００３５】
そして、Ｓ１０３０では、本体部側制御部１１１は、変換処理部１１３に対し、特定された物理チャンネルに対応する映像信号と音声信号との生成を指示すると共に、生成された信号を、設定チャンネルに対応するアナログテレビ放送信号に変換するよう指示し、本処理を終了する。
【００３６】
以後、変換処理部１１３では、地デジチューナ部１１３ｃにて、本体部側制御部１１１から指示された物理チャンネルに対応する周波数帯域の地デジ放送信号から映像信号と音声信号とが抽出される。そして、変調回路１１３ｅでは、抽出された映像信号と音声信号とにより、設定チャンネルに対応する搬送波が変調され、変調された信号は、ダイプレクサ１１３ｂ，コネクタ１１３ａを経由して地デジ用アンテナ２００からオーディオ３００に送信される。
【００３７】
（２）第一の現在地情報取得処理について
また、ナビゲーション装置４００は、地デジ放送受信装置１００に対して、定期的なタイミング（例えば、１分周期）で自車両の現在地情報を通知する。ここでは、地デジ放送を視聴するためのアナログテレビ放送信号を送信している地デジ放送受信装置１００が、ナビゲーション装置４００から自車両の現在地情報を取得した際に実行する第一の現在地情報取得処理について、図４に記載のフローチャートを用いて説明する。
【００３８】
Ｓ２００５では、地デジ放送受信装置１００の本体部側制御部１１１は、取得した自車両の現在地情報と、記憶部１１５に記憶されている放送区域情報とに基づき、現在地がアナログテレビ放送におけるどの放送区域に位置するかを特定し、この放送区域におけるアナログテレビ放送の空きチャンネルを特定する。そして、Ｓ２０１０では、現在の設定チャンネルは、空きチャンネルであるかどうかを判定する。現在の設定チャンネルが空きチャンネルである場合には（Ｓ２０１０：Ｙｅｓ）、本体部側制御部１１１は、Ｓ２０２５に処理を移行し、現在の設定チャンネルが空きチャンネルでない場合には（Ｓ２０１０：Ｎｏ）、本体部側制御部１１１は、Ｓ２０１５に処理を移行する。
【００３９】
Ｓ２０１５では、本体部側制御部１１１は、特定した空きチャンネルのうちの例えば最小のチャンネルを設定チャンネルとし、変換処理部１１３の変調回路１１３ｅに対し、地デジチューナ部１１３ｃからの映像信号等により、新たな設定チャンネルに対応する搬送波を変調するよう指示する。以後、地デジ放送受信装置１００からは、地デジ放送を視聴するためのアナログテレビ放送信号として、新たな設定チャンネルに対応するアナログテレビ放送信号が送信される。
【００４０】
そして、Ｓ２０２０では、本体部側制御部１１１は、地デジ放送受信装置１００から送信されるアナログテレビ放送信号が対応するチャンネルが変更した旨を報知する。
具体的には、本体部側制御部１１１は、例えば、所定の期間（例えば１０秒）にわたって、変換処理部１１３におけるＯＳＤ制御部１１３ｄに、地デジ放送受信装置１００から送信されるアナログテレビ放送信号が対応するチャンネルが変更した旨と、新たな設定チャンネルとを示す文字データを重畳させても良い。これにより、アナログテレビ放送信号を受信するオーディオ３００が備えるディスプレイに、アナログテレビ放送信号が対応するチャンネルが変更した旨と、新たな設定チャンネルとを表示させても良い。
【００４１】
また、本体部側制御部１１１は、伝送線路１３０を介して報知部１２０に対して指示を行い、報知部１２０におけるスピーカ１２４により、音声にて、地デジ放送受信装置１００から送信されるアナログテレビ放送信号が対応するチャンネルが変更した旨と、新たな設定チャンネルとを報知しても良い。また、報知部１２０における表示部１２３により、地デジ放送受信装置１００から送信されるアナログテレビ放送信号が対応するチャンネルが変更した旨や、新たな設定チャンネルを表示しても良い。
【００４２】
続いて、Ｓ２０２５では、本体部側制御部１１１は、自車両の現在地情報と、記憶部１１５に記憶されている放送区域情報とに基づき、現在地が地デジ放送におけるどの放送区域に位置するかを特定し、この放送区域における、選択中の放送局（換言すればリモコンキーＩＤ）に対応する物理チャンネルを特定する。そして、今回特定された物理チャンネルが、先に特定された物理チャンネルとは異なる場合には（Ｓ２０３０：Ｙｅｓ）、本体部側制御部１１１は、変換処理部１１３に対し、新たに特定された物理チャンネルにて放送中の番組を視聴するためのアナログテレビ放送信号の生成を指示し（Ｓ２０３５）、本処理を終了する。また、今回特定された物理チャンネルが、先に特定された物理チャンネルと同一の場合には（Ｓ２０３０：Ｎｏ）、本体部側制御部１１１は、本処理を終了する。
【００４３】
［効果］
第一実施形態における地デジ放送受信装置１００を用いることにより、オーディオ３００にてデジタルテレビ放送を視聴することが可能となる。
【００４４】
また、地デジ放送受信装置１００では、自車両の現在地におけるアナログテレビ放送の空きチャンネルを特定することができ、自車両がどの放送区域に存在しようとも、空きチャンネルに対応するアナログテレビ放送信号を生成して送信することができる。また、自車両が新たな放送区域に進入し、空きチャンネルが変わった場合であっても、地デジ放送信号から抽出された映像信号等を、新たな空きチャンネルに対応するアナログテレビ放送信号に変換して送信することができる。したがって、地デジ放送受信装置１００は、オーディオ３００におけるアナログテレビ放送の受信を妨げることなく、地デジ放送の番組の映像信号等を、アナログテレビ放送信号に変換してオーディオ３００に送信することができる。
【００４５】
また、地デジ放送受信装置１００では、自車両の現在地に応じて、リモコン等を介してユーザに選択された地デジ放送の放送局に対応する物理チャンネルが特定される。したがって、自車両がどの放送区域に存在している場合であっても、ユーザにより選択された放送局に対応する物理チャンネルの地デジ放送を視聴するためのアナログテレビ放送信号を生成することができる。また、自車両が新たな放送区域に進入し、選局ボタンと物理チャンネルとの対応関係が変わった場合であっても、ユーザにより選択された放送局に対応する物理チャンネルの地デジ放送を視聴するためのアナログテレビ放送信号を生成すること
ができる。
【００４６】
また、地デジ放送受信装置１００では、自装置から送信されるアナログテレビ放送信号に対応するチャンネルが変更した場合には、オーディオ３００が備えるディスプレイや、スピーカ１２４や、表示部１２３が備えるＬＣＤやＬＥＤ等により、チャンネルが変更した旨と、新たなチャンネルとがユーザに報知される。このため、地デジ放送受信装置１００から送信されるアナログテレビ放送信号が対応するチャンネルの変更に応じて、オーディオ３００におけるアナログテレビ放送の受信チャンネルを変えることが可能となり、地デジ放送受信装置１００の利便性を高めることができる。
【００４７】
［第二実施形態］
［構成の説明］
次に、第二実施形態について説明する。図５の（ａ）には、第二実施形態における車載システムの構成を示すブロック図が記載されている。この車載システムは、地デジ放送を受信する地デジ用アンテナ２００と、同軸ケーブル６００を介して地デジ用アンテナ２００から地デジ放送信号を受信し、映像信号と音声信号とを生成する地デジチューナ装置８００と、同軸ケーブル６１０を介して地デジチューナ装置８００にて生成された映像信号等を受信し、受信した映像信号等によりアナログテレビ放送における１〜１２チャンネルのいずれかに対応する搬送波を変調する変調装置７００と、変調装置７００と同軸ケーブル６２０により接続されており、アナログテレビ放送の視聴やラジオ放送の聴取が可能なオーディオ３００と、車内ＬＡＮ５００を介して地デジチューナ装置８００や変調装置７００に接続されており、これらの装置に対して自車両の現在地情報を通知するナビゲーション装置４００とを有している。
【００４８】
次に、地デジチューナ装置８００の構成について、図６の（ａ）に記載されているブロック図を用いて説明する。地デジチューナ装置８００は、地デジ用アンテナ２００に接続されている同軸ケーブル６００が接続されるコネクタ８１０と、地デジ用アンテナ２００からの地デジ放送信号を復調し、図示しないリモコン等を介してユーザに指定された放送局に対応する映像信号と音声信号とを抽出する地デジチューナ部８２０と、ＣＰＵ、ＲＯＭ、ＲＡＭ、Ｉ／Ｏ等を有する周知のマイクロコントローラ等から構成され、地デジチューナ装置８００を統括的に制御する制御部８３０と、車内ＬＡＮ５００を介して他の装置と通信を行う車内ＬＡＮ通信部８４０と、地デジ放送における放送区域毎のリモコンキーＩＤと物理チャンネルとの対応関係を示す放送区域情報を記憶している記憶部８５０と、変調装置７００に接続される同軸ケーブル６１０が接続され、地デジチューナ部８２０にて抽出された映像信号等が出力されるコネクタ８６０とを有している。
【００４９】
次に、変調装置７００の構成について、図６の（ｂ）に記載されているブロック図を用いて説明する。変調装置７００は、地デジチューナ装置８００に接続されている同軸ケーブル６１０が接続されるコネクタ７１０と、制御部７４０からの指示に応じて、地デジチューナ装置８００からの映像信号に画像データを重畳するＯＳＤ制御部７２０と、地デジチューナ装置８００からの映像信号や音声信号により、アナログテレビ放送における１〜１２チャンネルのうちのいずれかに対応する搬送波を変調して、ＶＨＦ帯のアナログテレビ放送信号を生成する変調回路７３０と、ＣＰＵ、ＲＯＭ、ＲＡＭ、Ｉ／Ｏ等を有する周知のマイクロコントローラ等から構成され、変調装置７００を統括的に制御する制御部７４０と、車内ＬＡＮ５００を介して他の装置と通信を行う車内ＬＡＮ通信部７５０と、スピーカ７６０と、アナログテレビ放送において放送区域毎に設定されている空きチャンネルを示す放送区域情報を記憶している記憶部７７０と、オーディオ３００に接続される同軸ケーブル６２０が接続され、変調回路７３０にて生成されたアナログテレビ放送信号が出力されるコネクタ７８０とを有している。尚、変調装置７００は、車両のシートの下等に配置される。
【００５０】
［動作の説明］
次に、第二実施形態の変調装置７００の動作について説明する。
（１）変調開始処理について
まず、変調装置７００が、地デジ放送を視聴するためのアナログテレビ放送信号の生成を開始する処理である変調開始処理について、図７に記載のフローチャートを用いて説明する。本処理は、図示しないリモコンを介してユーザから、地デジチューナ装置８００にて地デジ放送信号から抽出された映像信号と音声信号を、アナログテレビ放送信号に変換する旨の指示を受け付けた際に実行される処理である。
【００５１】
Ｓ３００５では、変調装置７００の制御部７４０は、車内ＬＡＮ５００を介してナビゲーション装置４００から、自車両の現在地情報を取得する。そして、取得した自車両の現在地情報と、記憶部７７０に記憶されている放送区域情報とに基づき、現在地がアナログテレビ放送におけるどの放送区域に位置するかを特定し、この放送区域におけるアナログテレビ放送の空きチャンネルを特定する（Ｓ３０１０）。そして、特定した空きチャンネルのうちの例えば最小のチャンネルを、設定チャンネルとする（Ｓ３０１５）。
【００５２】
そして、Ｓ３０２０では、制御部７４０は、変調回路７３０に対し、地デジチューナ装置８００からの映像信号及び音声信号で設定チャンネルに対応する搬送波を変調するよう指示し、本処理を終了する。
【００５３】
以後、変調装置７００では、地デジチューナ装置８００にて地デジ放送信号から抽出された映像信号と音声信号が、設定チャンネルに対応するアナログテレビ放送信号に変換され、同軸ケーブル６２０を介してオーディオ３００に送信される。
【００５４】
（２）第二の現在地情報取得処理について
また、ナビゲーション装置４００は、変調装置７００や地デジチューナ装置８００に対して、定期的なタイミング（例えば、１分周期）で自車両の現在地情報を通知する。ここでは、地デジ放送を視聴するためのアナログテレビ放送信号を送信している変調装置７００が、ナビゲーション装置４００から自車両の現在地情報を取得した際に実行する第二の現在地情報取得処理について、図８に記載のフローチャートを用いて説明する。
【００５５】
Ｓ４００５では、変調装置７００の制御部７４０は、取得した自車両の現在地情報と、記憶部７７０に記憶されている放送区域情報とに基づき、現在地がアナログテレビ放送におけるどの放送区域に位置するかを特定し、この放送区域におけるアナログテレビ放送の空きチャンネルを特定する。そして、Ｓ４０１０では、現在の設定チャンネルは、空きチャンネルであるかどうかを判定する。現在の設定チャンネルが空きチャンネルである場合には（Ｓ４０１０：Ｙｅｓ）、制御部７４０は、本処理を終了し、現在の設定チャンネルが空きチャンネルでない場合には（Ｓ４０１０：Ｎｏ）、制御部７４０は、Ｓ４０１５に処理を移行する。
【００５６】
Ｓ４０１５では、制御部７４０は、特定した空きチャンネルのうちの例えば最小のチャンネルを設定チャンネルとし、変調回路７３０に対し、地デジチューナ装置８００からの映像信号等により、新たな設定チャンネルに対応する搬送波を変調するよう指示する。以後、変調装置７００からは、地デジ放送を視聴するためのアナログテレビ放送信号として、新たな設定チャンネルに対応するアナログテレビ放送信号が送信される。
【００５７】
そして、Ｓ４０２０では、制御部７４０は、変調装置７００から送信されるアナログテレビ放送信号が対応するチャンネルが変更した旨を報知する。具体的には、制御部７４０
は、例えば、所定の期間（例えば１０秒）にわたって、ＯＳＤ制御部７２０に、変調装置７００から送信されるアナログテレビ放送信号が対応するチャンネルが変更した旨と、新たな設定チャンネルとを示す文字データを重畳させても良い。これにより、アナログテレビ放送信号を受信するオーディオ３００が備えるディスプレイに、アナログテレビ放送信号が対応するチャンネルが変更した旨と、新たな設定チャンネルとを表示させても良い。また、制御部７４０は、スピーカ７６０により、音声にて、変調装置７００から送信されるアナログテレビ放送信号が対応するチャンネルが変更した旨と、新たな設定チャンネルとを報知しても良い。そして、制御部７４０は本処理を終了する。
【００５８】
尚、地デジチューナ装置８００においても、ナビゲーション装置から自車両の現在地情報を受信すると、現在地が地デジ放送におけるどの放送区域に位置するかを特定し、この放送区域における、選択中の放送局（換言すればリモコンキーＩＤ）に対応する物理チャンネルを特定しても良い。そして、今回特定された物理チャンネルが、先に特定された物理チャンネルとは異なる場合には、地デジ放送信号から、新たに特定された物理チャンネルに対応する映像信号と音声信号を抽出しても良い。
【００５９】
［効果］
第二実施形態における地デジチューナ装置８００と変調装置７００とを用いることにより、オーディオ３００にてデジタルテレビ放送を視聴することが可能となる。
【００６０】
また、変調装置７００では、自車両の現在地におけるアナログテレビ放送の空きチャンネルを特定することができ、自車両がどの放送区域に存在しようとも、空きチャンネルに対応するアナログテレビ放送信号を生成して送信することができる。また、自車両が新たな放送区域に進入し、空きチャンネルが変わった場合であっても、地デジ放送信号から抽出された映像信号等を、新たな空きチャンネルに対応するアナログテレビ放送信号に変換して送信することができる。したがって、変調装置７００は、オーディオ３００におけるアナログテレビ放送の受信を妨げることなく、地デジ放送の番組の映像信号等を、アナログテレビ放送信号に変換してオーディオ３００に送信することができる。
【００６１】
また、変調装置７００では、自装置から送信されるアナログテレビ放送信号に対応するチャンネルが変更した場合には、オーディオ３００が備えるディスプレイや、スピーカ７６０等により、チャンネルが変更した旨と、新たなチャンネルとがユーザに報知される。このため、変調装置７００から送信されるアナログテレビ放送信号が対応するチャンネルの変更に応じて、オーディオ３００にて受信中のアナログテレビ放送のチャンネルを変えることが可能となり、変調装置７００の利便性を高めることができる。
【００６２】
［他の実施形態］
（１）第一実施形態や第二実施形態では、設定チャンネルが変更された場合には、オーディオ３００が備えるディスプレイや、地デジ放送受信装置１００や変調装置７００が備えるスピーカや表示部等により、アナログテレビ放送信号が対応するチャンネルが変更した旨と、新たな設定チャンネルとがユーザに報知される。しかしながら、地デジ放送受信装置１００や変調装置７００は、例えば、車内ＬＡＮ５００を介して他の装置と通信を行い、この他の装置を介して、アナログテレビ放送信号が対応するチャンネルが変更した旨と、新たな設定チャンネルとがユーザに報知しても良い。このような構成を有する場合であっても、同様の効果を得ることができる。
【００６３】
（２）また、第二実施形態では、変調装置７００とオーディオ３００とは同軸ケーブル６２０にて接続されており、この同軸ケーブル６２０を介して、変調装置７００からオーディオ３００に地デジ放送を視聴するためのアナログテレビ放送信号が送信される。しかし、第一実施形態のように、変調装置７００は、地デジ用アンテナ２００からアナログテ
レビ放送信号を送信し、オーディオ３００は、アナログ放送用アンテナ３１０を介してアナログテレビ放送信号を受信しても良い。
【００６４】
具体的には、第二実施形態における車載システムは、図５の（ｂ）のように構成されていても良い。すなわち、この車載システムは、同軸ケーブル６００を介して地デジ用アンテナ２００から地デジ放送信号が入力され、ＶＨＦ帯の上限周波数を低域側のカットオフ周波数とすると共に、ＵＨＦ帯の下限周波数を高域側のカットオフ周波数とするダイプレクサ９００をさらに有していても良い。そして、地デジチューナ装置８００には、同軸ケーブル６３０を介して、ダイプレクサ９００を通過した高域側の受信信号が入力され、変調装置７００にて生成された地デジ放送を視聴するためのアナログテレビ放送信号は、同軸ケーブル６４０を介してダイプレクサ９００に入力され、地デジ用アンテナ２００から送信されても良い。そして、オーディオ３００は、アナログ放送用アンテナ３１０を介して、変調装置７００からのアナログテレビ放送信号を受信しても良い。
【００６５】
このような構成を有する場合であっても、同様の効果を得ることができる。
（３）また、第一実施形態や第二実施形態における車載システムは、地デジ放送受信装置１００や変調装置７００は、地デジ放送に替えて、例えば、衛星デジタル放送について同様の処理を行っても良い。こうすることにより、アナログテレビ放送の受信を妨げることなく、衛星デジタルテレビ放送の番組の映像信号を、アナログテレビ放送における放送信号に変換して送信することができる。
【００６６】
［特許請求の範囲との対応］
上記実施形態の説明で用いた用語と、特許請求の範囲の記載に用いた用語との対応を示す。
【００６７】
第一実施形態における地デジ放送受信装置１００が請求項１における変換装置に、地デジチューナ部１１３ｃが請求項１における抽出手段に、車内ＬＡＮ通信部１１４が請求項１における取得手段に、本体部側制御部１１１が請求項１における空きチャンネル特定手段に、リモコン受光部１２２が受付手段に、報知部側制御部１２５が対応チャンネル特定手段に、それぞれ相当する。また、変調回路１１３ｅが請求項１における変換手段に相当する。
【００６８】
また、地デジ放送受信装置１００におけるＯＳＤ制御部１１３ｄ，車内ＬＡＮ通信部１１４，表示部１２３，スピーカ１２４が、それぞれ、報知手段に相当する。
また、第二実施形態における変調装置７００が請求項３における変換装置に、車内ＬＡＮ通信部７５０が請求項３における取得手段に、制御部７４０が請求項３における空きチャンネル特定手段に、変調回路７３０が請求項３における変換手段に、それぞれ相当する。
【００６９】
また、変調装置７００におけるＯＳＤ制御部７２０，スピーカ７６０が、それぞれ、報知手段に相当する。
また、オーディオ３００が受信装置に相当する。
【符号の説明】
【００７０】
１００…地デジ放送受信装置、１１０…本体部、１１１…本体部側制御部、１１２…通信部、１１３…変換処理部、１１３ａ…コネクタ、１１３ｂ…ダイプレクサ、１１３ｃ…地デジチューナ部、１１３ｄ…ＯＳＤ制御部、１１３ｅ…変調回路、１１４…車内ＬＡＮ
通信部、１１５…記憶部、１２０…報知部、１２１…通信部、１２２…リモコン受光部、１２３…表示部、１２４…スピーカ、１２５…報知部側制御部、１３０…伝送線路、２００…地デジ用アンテナ、３００…オーディオ、３１０…アナログ放送用アンテナ、４００…ナビゲーション装置、５００…車内ＬＡＮ、６００…同軸ケーブル、６１０…同軸ケーブル、６２０…同軸ケーブル、６３０…同軸ケーブル、６４０…同軸ケーブル、７００…変調装置、７１０…コネクタ、７２０…ＯＳＤ制御部、７３０…変調回路、７４０…制御部、７５０…車内ＬＡＮ通信部、７６０…スピーカ、７７０…記憶部、７８０…コネクタ、８００…地デジチューナ装置、８１０…コネクタ、８２０…地デジチューナ部、８３０…制御部、８４０…車内ＬＡＮ通信部、８５０…記憶部、８６０…コネクタ、９００…ダイプレクサ。
【図１】
2010239537.tif 000003
【図２】
2010239537.tif 000004
【図３】
2010239537.tif 000005
【図４】
2010239537.tif 000006
【図５】
2010239537.tif 000007
【図６】
2010239537.tif 000008
【図７】
2010239537.tif 000009
【図８】
2010239537.tif 000010